(57)【要約】      （修正有）【課題】医薬製品企業は自社の処方箋医薬製品の広告と同等の効果を上げることができ、消費者は処方箋薬に関し、複数の同種の処方箋医薬製品の情報を入手することができる医薬製品情報提供システムを提供。【解決手段】処方箋薬の一般名称を含む薬剤情報を登録しておく薬剤情報データベース34と、上記処方箋薬の一般名称と、当該一般名称の処方箋薬の処方箋医薬製品を取扱う医薬製品企業を特定する企業特定情報と、本システム管理者以外の第三者が管理するウェブサイトのWebサーバ14に蓄積されている上記処方箋医薬製品に関する処方箋医薬製品情報ページのＵＲＬとを含む医薬製品企業情報を登録しておく医薬製品企業情報データベース36を有しており、消費者のパソコン12に、上記薬剤情報と、処方箋医薬製品情報ページのＵＲＬがハイパーリンクされた医薬製品企業情報が記述されたウェブページをインターネット経由で消費者のパソコン12に送信する。【選択図】図２
2010073079.tif 000002
【特許請求の範囲】
【請求項１】
インターネットを介して処方箋医薬製品の情報を提供する医薬製品情報提供システムであって、
処方箋薬の一般名称を含む薬剤情報を登録しておく手段と、
上記処方箋薬の一般名称と、当該一般名称の処方箋薬に対応する処方箋医薬製品を取扱う医薬製品企業を特定する企業特定情報と、本システム管理者以外の第三者が管理するウェブサイトのWebサーバに蓄積されている上記処方箋医薬製品に関する処方箋医薬製品情報ページのＵＲＬとを含む医薬製品企業情報を登録しておく手段を有しており、
消費者の情報端末に、上記薬剤情報と、上記処方箋医薬製品情報ページのＵＲＬがハイパーリンクされた医薬製品企業情報が記述されたウェブページをインターネット経由で送信することを特徴とする医薬製品情報提供システム。
【請求項２】
上記医薬製品企業情報には処方箋医薬製品の名称が含まれており、
消費者の情報端末から処方箋医薬製品の名称がキーワードとして送信された場合において、上記処方箋医薬製品の名称と関連付けて登録されている医薬製品企業情報を抽出し、また、
抽出した医薬製品企業情報中の上記処方箋医薬製品の一般名称と関連付けて登録されている薬剤情報を抽出し、
消費者の情報端末に、抽出した薬剤情報と、上記処方箋医薬製品情報ページのＵＲＬがハイパーリンクされた医薬製品企業情報が記述されたウェブページをインターネット経由で送信することを特徴とする請求項１に記載の医薬製品情報提供システム。
【請求項３】
処方箋薬の一般名称と関連付けられた上記医薬製品企業情報が複数存在する場合において、
基準時点から所定時間経過する毎に、上記ウェブページに記述する医薬製品企業情報の表示順位及び／又は医薬製品企業情報の数を変更することを特徴とする請求項１又は２に記載の医薬製品情報提供システム。
【発明の詳細な説明】
【技術分野】
【０００１】
この発明は、医薬製品情報提供システムに係り、特に、医師又は歯科医師（以下、医師等と称する）の処方箋に基づいて販売され、消費者への広告が規制されている医薬製品の情報をインターネットを介して提供する医薬製品情報提供システムに関する。
【背景技術】
【０００２】
現在、厚生省（現厚生労働省）の定めた「医薬品等適性広告基準」（昭和５５年１０月９日薬発第１３３９号厚生省薬努局長通知）により、医師等の処方箋に基づいて販売される医薬製品（以下、処方箋医薬製品と称する）については、消費者への広告が規制されている。
すなわち、上記「医薬品等適性広告基準の第３（基準）５（医療用医薬品等の広告の制限）」において、「医師若しくは歯科医師が自ら使用し、又はこれらの者の処方せん若しくは指示によって使用することを目的として供給される医薬品については、医薬関係者以外の一般人を対象とする広告は行わないものとする」と規定されている。
【発明の開示】
【発明が解決しようとする課題】
【０００３】
このため、医薬製品企業は、自社の処方箋医薬製品の広告を行うことができず、消費者に対して自社製品を直接アピールすることができなかった。
また、消費者は、処方箋が必要な医薬品（以下、処方箋薬と称する）に関して、同種の処方箋医薬製品が複数存在している場合であっても、これら複数の処方箋医薬製品の情報を入手することが困難であった。
このように、上記「医薬品等適性広告基準」に基づく広告規制のため、処方箋医薬製品に関して、医薬製品企業は、自社製品の広告宣伝を行う機会が与えられず、また、消費者は、複数の同種の処方箋医薬製品の情報を知る機会が与えられていなかった。
【０００４】
この発明は、上記問題に鑑みて案出されたものであり、その目的は、医薬製品企業は自社の処方箋医薬製品の広告を行ったのと実質的に同等の効果を上げることができると共に、消費者は、処方箋薬に関して、複数の同種の処方箋医薬製品の情報を入手することができる医薬製品情報提供システムを実現することにある。
【課題を解決するための手段】
【０００５】
上記の目的を達成するため、請求項１に記載の医薬製品情報提供システムは、
インターネットを介して処方箋医薬製品の情報を提供する医薬製品情報提供システムであって、
処方箋薬の一般名称を含む薬剤情報を登録しておく手段と、
上記処方箋薬の一般名称と、当該一般名称の処方箋薬に対応する処方箋医薬製品を取扱う医薬製品企業を特定する企業特定情報と、本システム管理者以外の第三者が管理するウェブサイトのWebサーバに蓄積されている上記処方箋医薬製品に関する処方箋医薬製品情報ページのＵＲＬとを含む医薬製品企業情報を登録しておく手段を有しており、
消費者の情報端末に、上記薬剤情報と、上記処方箋医薬製品情報ページのＵＲＬがハイパーリンクされた医薬製品企業情報が記述されたウェブページをインターネット経由で送信することを特徴とする。
【０００６】
請求項２に記載の医薬製品情報提供システムは、請求項１に記載のシステムを前提としつつ、さらに、
上記医薬製品企業情報には処方箋医薬製品の名称が含まれており、
消費者の情報端末から処方箋医薬製品の名称がキーワードとして送信された場合において、上記処方箋医薬製品の名称と関連付けて登録されている医薬製品企業情報を抽出し、また、
抽出した医薬製品企業情報中の上記処方箋医薬製品の一般名称と関連付けて登録されている薬剤情報を抽出し、
消費者の情報端末に、抽出した薬剤情報と、上記処方箋医薬製品情報ページのＵＲＬがハイパーリンクされた医薬製品企業情報が記述されたウェブページをインターネット経由で送信することを特徴とする。
【０００７】
請求項３に記載の医薬製品情報提供システムは、請求項１又は２に記載のシステムを前提としつつ、さらに、
処方箋薬の一般名称と関連付けられた上記医薬製品企業情報が複数存在する場合において、
基準時点から所定時間経過する毎に、上記ウェブページに記述する医薬製品企業情報の表示順位及び／又は医薬製品企業情報の数を変更することを特徴とする。
【発明の効果】
【０００８】
請求項１に記載の医薬製品情報提供システムは、消費者の情報端末に、処方箋薬の一般名称を含む薬剤情報と、上記一般名称の処方箋薬と対応する処方箋医薬製品を取扱う医薬製品企業の医薬製品企業情報を送信し、上記医薬製品企業情報に、本システム管理者以外の第三者が管理するウェブサイトのWebサーバに蓄積されている上記処方箋医薬製品に関する処方箋医薬製品情報ページをハイパーリンクさせて構成した。
従って、消費者が、医薬製品企業情報をクリックして選択すると、当該医薬製品企業情報とハイパーリンクされた処方箋医薬製品情報ページに誘導され、消費者に対して、医薬製品企業が取扱っている処方箋医薬製品の情報を提供することができ、この結果、医薬製品企業は自社の処方箋医薬製品の広告を行ったのと実質的に同等の効果を上げることができる。
また、消費者は、処方箋薬に関して、複数の同種の処方箋医薬製品の情報を入手することができる。
【０００９】
尚、本システムから消費者の情報端末に送信するのは、処方箋薬の一般名称を含む薬剤情報及び上記処方箋薬の一般名称と対応する医薬製品企業情報だけであり、「処方箋医薬製品情報ページ」の送信は行わない。従って、本システムが消費者に対して行う情報提供は、処方箋医薬製品の広告行為には該当せず、「医薬品等適性広告基準」に抵触するものではない。
【００１０】
請求項２に記載の医薬製品情報提供システムにあっては、消費者の情報端末から送信されたキーワードとしての処方箋医薬製品の名称に基づいて、同種の処方箋医薬製品の情報提供を行うことができるので、消費者は医師等の処方箋で指示された処方箋医薬製品の製品名称を元に、複数の同種の処方箋医薬製品の情報を入手することができ、利便性が高い。
【００１１】
請求項３に記載の医薬製品情報提供システムにあっては、ウェブページに記述する医薬製品企業情報の表示順位及び／又は表示する医薬製品企業情報の数を時間と対応させて変更可能と成すことにより、表示順位の上がった医薬製品企業や、表示数が少なくなった状態でウェブページに表示され医薬製品企業にとっての広告効果が向上する。
【発明を実施するための最良の形態】
【００１２】
図１は、この発明に係る医薬製品情報提供システム10の全体イメージを示すものであり、本システム10を利用して処方箋医薬製品の情報を入手する消費者が管理する多数の情報端末としてのパソコン12と、本システム10を通じて自社の処方箋医薬製品の情報提供を行う医薬製品企業の管理するWebサーバ14と、本システム10の管理者が管理するセンターサーバ16とが、インターネット18を介してネットワーク接続されている。
上記センターサーバ16は、Webサーバ20（図２参照）、AP（Application）サーバ22（図２参照）、メールサーバ等を備えており、複数のワークステーションやパソコンをネットワーク接続することによって構成されている。尚、単一のコンピュータに各サーバ機能を実現するプログラムをセットアップすることによってセンターサーバ16を構成することもできる。
【００１３】
図２は、本発明に係る医薬製品情報提供システム10の機能構成を示すブロック図であり、センターサーバ16を構成するAPサーバ22は、制御装置Ａと記憶装置Ｂを有している。
上記制御装置Ａは、医療情報処理部24、薬剤情報処理部26、医薬製品企業情報処理部28、キーワード処理部30を備えており、また、上記記憶装置Ｂは、医療情報データベース32、薬剤情報データベース34、医薬製品企業情報データベース36、キーワードデータベース38を備えている。
【００１４】
制御装置Ａの上記医療情報処理部24、薬剤情報処理部26、医薬製品企業情報処理部28、キーワード処理部30は、APサーバ22のＣＰＵがＯＳ及び専用のアプリケーション・プログラムに従って所定の処理を実行することによって実現される。
また、記憶装置Ｂの医療情報データベース32、薬剤情報データベース34、医薬製品企業情報データベース36、キーワードデータベース38は、APサーバ22のハードディスクに格納されている。
【００１５】
上記医療情報データベース32内には、本システム10の管理者が収集したインターネット上のウェブサイトで公開された医療情報や、書籍、新聞、学術論文等に掲載された医療情報が登録されている。
尚、インターネット上のウェブサイトで公開された医療情報を収集する場合には、上記キーワード処理部30と、医療情報や薬剤情報に関する各種のキーワード（例えば、降圧薬、高圧治療、循環器系、癌、白血病等）が登録されているキーワードデータベース38を用いて行うこともできる。
【００１６】
このキーワード処理部30による医療情報の収集は、例えば、キーワード処理部30に予め信頼性の高い医療情報を提供しているウェブサイトのＵＲＬ（Uniform Resource Locator）を設定しておき、設定したＵＲＬのウェブサイトに常時又は定期的にアクセスし、キーワードデータベース38内のキーワードと合致する医療情報の記述されたウェブページを取得した上で、当該ウェブページに含まれるウェブデータの中から医療情報に関するテキストデータを抽出し、抽出した医療情報データに、当該医療情報データが記述されていたウェブページのＵＲＬ、ウェブサイトの名称、掲載日等の適宜な情報を関連付けて医療情報データベース32内に登録することにより行われる。
【００１７】
また、紙媒体である書籍、新聞、学術論文等に掲載されている医療情報については、本システム10の管理者が電子データ化し、これにキーワード、出典元の文献名、掲載日等の適宜な情報を関連付けた上で、医療情報処理部24を介して医療情報データベース32内に登録する。
【００１８】
上記薬剤情報データベース34には、薬事法第４９条の規定により、「医師等の処方箋交付を受けた者以外に対しては正当な理由なく販売または授与してはならない」として厚生労働大臣が指定した処方箋薬に関する各種の情報が登録されている。尚、対象となる処方箋薬の具体的な種類は、平成１７年厚生労働省告示第２４号（平成１７年２月１０日付）で定められている。
【００１９】
図３は、薬剤情報データベース34内に登録された薬剤情報のデータ項目例を示すものであり、「処方箋薬の一般名称（ベシル酸アムロジビン）」、「属性（Ｃａ拮抗剤種）」、「用途（降圧薬）」、「使用区分（内服薬）」、「効能（心臓の筋肉の収縮を・・・）」、「使用上の注意（肝臓に負担、めまい、吐き気）」が登録されている。
上記薬剤情報は、本システム10の管理者が処方箋薬の種類毎に、その一般名称、属性データ、用途データ、使用区分データ、効能データ、使用上の注意データを収集し、薬剤情報処理部26を介して薬剤情報データベース34内に登録する。
尚、図３に示した薬剤情報のデータ項目は一例であり、「処方箋薬の一般名称」以外に登録するデータ項目の数や種類はシステム管理者の側で任意に決定するものであり、必用に応じて適宜増減・変更可能である。
【００２０】
上記医薬製品企業情報データベース36には、本システム10を介して、処方箋医薬製品を取扱っている医薬製品企業の情報が登録されている。
図４は、医薬製品企業情報データベース36内に登録された医薬製品企業情報のデータ項目例を示すものであり、「企業名称（ＡＡＡ製薬株式会社）」、当該企業が取扱っている処方箋医薬製品の「一般名称（ベシル酸アムロジビン、エルカトニン、塩酸チザニジン、ベザフィブラート）」、「住所（東京都杉並区○○○）」、当該医薬製品企業の「ウェブサイトのＵＲＬ（http://aaa○○.co.jp）」が登録されている。
【００２１】
また、処方箋医薬製品の各「一般名称」毎に、その「用途」と、当該医薬製品企業の「処方箋医薬製品情報ページのＵＲＬ」、「処方箋医薬製品の名称」を関連付けて登録している。図４においては、当該医薬製品企業が取扱っている処方箋医薬製品の一般名称である「ベシル酸アムロジビン」に関して、用途として「降圧薬」、処方箋医薬製品ページのＵＲＬとして「http://aaa○○.co.jp/product/besiamlo.html」、処方箋医薬製品の名称として「ベシアムロ」が登録された例が示されている。
【００２２】
尚、図４に示した医薬製品企業情報のデータ項目は一例であり、登録するデータ項目の種類や数はシステム管理者の側で任意に決定し得るが、少なくとも、「企業名称やその略称といった医薬製品企業を特定する企業特定情報」と、当該企業が取扱っている「処方箋医薬製品の一般名称」と、「処方箋医薬製品情報ページのＵＲＬ」、「処方箋医薬製品の名称」は相互に関連付けて登録しておく。
【００２３】
上記した「医薬製品企業の処方箋医薬製品情報ページ」とは、各医薬製品企業が取扱っている処方箋医薬製品についての製品情報が記述されたウェブページのことをいう。
すなわち、図５に例示するように、各医薬製品企業（図５においてはＡＡＡ製薬株式会社）は、通常、自社で取扱っている処方箋医薬製品（図５においては製品名：ベシアムロ）に関して、自社のウェブサイトで用途、効能、大きさ、製品写真、使用上の注意等の各種製品情報を提供している。医薬製品企業が提供する自社の処方箋医薬製品についての製品情報が記述されたウェブページは、医薬製品企業の管理するWebサーバ14に蓄積されている。
本システム10の医薬製品企業情報データベース36には、各医薬製品企業毎に、当該医薬製品企業の取扱う処方箋医薬製品の「一般名称」と、当該一般名称の処方箋薬に対応する「処方箋医薬製品情報ページのＵＲＬ」とが関連付けて登録されているものである。
尚、医薬製品企業が、自社で取扱う処方箋医薬製品の製品情報を自社のウェブサイトを通じて公開すること自体は、消費者に対する広告行為ではなく、上記「医薬品等適性広告基準」に抵触するものではなく、広く行われていることである。
【００２４】
尚、上記「医薬製品企業の処方箋医薬製品情報ページ」は、医薬製品企業が自ら情報提供しているウェブサイトのウェブページに限られるものではなく、例えば、「医者からもらった薬」について情報提供を行っている第三者が提供するウェブサイトのウェブページであっても良い。
要するに、医薬製品企業の処方箋医薬製品についての製品情報が記述されているウェブページであって、本システム10の管理者以外の第三者が運営・管理するウェブサイトのWebサーバに蓄積されているウェブページであれば良い。
【００２５】
上記医薬製品企業情報は、本システム10の管理者が、「医薬製品企業の名称・住所等」、「処方箋医薬製品の一般名称・用途」、当該医薬製品企業の「処方箋医薬製品ページのＵＲＬ」、「処方箋医薬製品の名称」等の情報を収集した上で、医薬製品企業情報処理部28を介して医薬製品企業情報データベース36内に登録する。
【００２６】
以下において、図２のブロック図及び図６のフローチャートに基づき、本システム10を用いて、消費者が処方箋医薬製品の情報を入手する際の処理手順を説明する。
先ず、消費者は、自己のパソコン12上に起動させたWebブラウザからセンターサーバ16のURLを入力し、インターネット18経由でセンターサーバ16のウェブサイトにアクセスし、本システム10に登録されている医療情報の中から、閲覧を希望する医療情報の送信をWebサーバ20に求める。
これを受けて（Ｓ10）、医療情報処理部24が起動し、医療情報データベース32内から該当する医療情報を抽出する（Ｓ12）。
【００２７】
抽出された医療情報は、キーワード処理部30に渡され、該キーワード処理部30によってキーワードのマーク処理が行われ（Ｓ14）、医療情報が記述されたｈｔｍｌ形式のウェブページが消費者のパソコン12に送信される（Ｓ16）。上記キーワード処理部30によるマーク処理は、医療情報中に、キーワードデータベース38内に登録されているキーワードと合致するキーワードが存在する場合に、医療情報が記述されたウェブページ中の該当キーワードに所定の「識別表示」を付加することにより行う。「識別表示」としては、例えば、キーワードを他の情報とは異なる色彩で表示したり、白黒反転表示させたり、或いは、キーワードにアンダーラインを付加したり、枠で囲む等して行うことができる。
【００２８】
図７は、消費者のパソコン12に送信された医療情報が記述されたウェブページの画面表示例を示すものであり、「高齢者でも降圧治療は有効」なる医療情報が、その出典及び掲載日と共に表示されている。また、キーワードデータベース38内に登録されているキーワードと合致する文字列「降圧薬」が四角枠で囲まれて表示されており、当該文字列「降圧薬」が検索可能なキーワードであることが消費者に判るようになっている。
【００２９】
消費者が図７の画面中の「降圧薬」の文字列をクリックすると、Webサーバ20に対して、キーワード（降圧薬）の検索要求が出力される。これを受けて（Ｓ18）、キーワード処理部30は、薬剤情報データベース34内を検索し、上記キーワード（降圧薬）と関連付けて登録されている薬剤情報を抽出する（Ｓ20）。また、キーワード処理部30は、抽出した薬剤情報に含まれる「処方箋薬の一般名称」をキーワードとして医薬製品企業情報データベース36内を検索し、上記「処方箋薬の一般名称」と関連付けて登録されている医薬製品企業情報を抽出する（Ｓ22）。
【００３０】
キーワード処理部30は、医薬製品企業情報に、当該医薬製品企業の処方箋医薬製品情報ページをリンクさせるハイパーリンク処理を行い（Ｓ24）、薬剤情報及び企業特定情報を含む医薬製品企業情報が記述されたｈｔｍｌ形式のウェブページを消費者のパソコン12に送信する（Ｓ26）。
上記の通り、医薬製品企業情報データベース36内には、各医薬製品企業が取扱う処方箋医薬製品の「一般名称」と、当該一般名称の処方箋薬に対応する「処方箋医薬製品情報ページのＵＲＬ」とが関連付けて登録されていることから、上記ｈｔｍｌ形式のウェブページ中の「医薬製品企業情報」を記述したハイパーテキストにアンカータグとして上記「処方箋医薬製品情報ページのＵＲＬ」を埋め込むことにより、医薬製品企業情報と処方箋医薬製品情報ページとをハイパーリンクさせることができる。
【００３１】
図８は、消費者のパソコン12に送信された薬剤情報及び医薬製品企業情報が記述されたウェブページの画面表示例を示すものであり、キーワード「降圧薬」と関連付けられた薬剤情報として、処方箋薬の一般名称「ベシル酸アムロジビン」、属種「Ｃａ拮抗剤」が記述されると共に、処方箋薬の一般名称「ベシル酸アムロジビン」と関連付けられた医薬製品企業情報として、企業特定情報である５つの企業名称「ＡＡＡ製薬株式会社」、「株式会社ＢＢＢ製薬」等が記述されている。
また、上記した通り、医薬製品企業情報である企業名称（企業特定情報）を記述した文字列（ＡＡＡ製薬株式会社等）と、当該企業の処方箋医薬製品情報ページとがハイパーリンクされている。
企業名称（企業特定情報）を含む医薬製品企業情報が記述された図８のウェブページが送信されることにより、消費者は、一般名称が「ベシル酸アムロジビン」である降圧用の処方箋医薬製品を取扱っている複数の医薬製品企業を知ることができる。
【００３２】
消費者が図８の画面中において、医薬製品企業情報である企業名称（例えばＡＡＡ株式会社）の文字列をクリックして選択した場合（Ｓ28）には、医薬製品企業（ＡＡＡ株式会社）の管理するWebサーバ14に対して、上記文字列とハイパーリンクされた処方箋医薬製品情報ページの送信要求が出力される。これを受けて（Ｓ30）、医薬製品企業（ＡＡＡ株式会社）のWebサーバ14から、消費者のパソコン12に対して、図５に示した処方箋医薬製品情報ページが送信される（Ｓ32）。
【００３３】
この結果、消費者は、「降圧薬」として使用される処方箋薬である一般名称「ベシル酸アムロジビン」を取扱っている医薬製品企業（ＡＡＡ株式会社）の「処方箋医薬製品」の詳細な情報（製品名、製剤写真、使用上の注意等）を得ることができる。
【００３４】
尚、本システム10においては、消費者のパソコン12から「処方箋薬の一般名称」又は「処方箋医薬製品の名称」がキーワードとして送信された場合にも処方箋医薬製品の情報提供を行うことができる。
先ず、「処方箋薬の一般名称」がキーワードとして送信された場合の処理手順を図２のブロック図及び図９のフローチャートに基づき説明する。
消費者が、Webサーバ20から送信されたキーワード検索用のウェブページ（図１０）中の検索ボックスに処方箋薬の一般名称（図１０においてはベシル酸アムロジビン）を入力した後、送信ボタンをクリックすると、Webサーバ20に対して、キーワード（ベシル酸アムロジビン）の検索要求が出力される。
【００３５】
これを受けて（Ｓ40）、キーワード処理部30は、薬剤情報データベース34内を検索し、上記キーワード（ベシル酸アムロジビン）と関連付けて登録されている薬剤情報を抽出する（Ｓ42）。
また、キーワード処理部30は、医薬製品企業情報データベース36内を検索し、上記キーワード（ベシル酸アムロジビン）と関連付けて登録されている医薬製品企業情報を抽出する（Ｓ44）。
【００３６】
以降は、図６のフローチャートのＳ24〜Ｓ32と同様に、キーワード処理部30は、抽出した医薬製品企業情報に、当該医薬製品企業の処方箋医薬製品情報ページをリンクさせるハイパーリンク処理を行い（Ｓ46）、薬剤情報及び企業特定情報を含む医薬製品企業情報が記述されたｈｔｍｌ形式のウェブページ（図８参照）を消費者のパソコン12に送信する（Ｓ48）。
消費者が図８の画面中の企業名称の文字列をクリックして選択した場合（Ｓ50）には、医薬製品企業の管理するWebサーバ14に対して、上記文字列とリンクされた処方箋医薬製品情報ページの送信要求が出力され、これを受けて（Ｓ52）、医薬製品企業のWebサーバ14から、消費者のパソコン12に対して、図５に示す処方箋医薬製品情報ページが送信される（Ｓ54）。
【００３７】
次に、「処方箋医薬製品の名称」がキーワードとして送信された場合の処理手順を図２のブロック図及び図１１のフローチャートに基づき説明する。
消費者が、Webサーバ20から送信されたキーワード検索用のウェブページ（図１２）中の検索ボックスに処方箋医薬製品の名称（図１２においてはベシアムロ）を入力した後、送信ボタンをクリックすると、Webサーバ20に対して、キーワード（ベシアムロ）の検索要求が出力される。
【００３８】
これを受けて（Ｓ60）、キーワード処理部30は、、医薬製品企業情報データベース36内を検索し、上記キーワード（ベシアムロ）と関連付けて登録されている医薬製品企業情報を抽出する（Ｓ62）
また、キーワード処理部30は、処方箋医薬製品の名称（ベシアムロ）をキーワードとして抽出した医薬製品企業情報中における上記処方箋医薬製品（ベシアムロ）の一般名称（ベシルアムロジン）と関連付けて登録されている薬剤情報を薬剤情報データベース34内から抽出する（Ｓ64）。
【００３９】
以降は、図６のフローチャートのＳ24〜Ｓ32、図９のフローチャートのＳ46〜Ｓ54と同様に、キーワード処理部30は、抽出した医薬製品企業情報に、当該医薬製品企業の処方箋医薬製品情報ページをリンクさせるハイパーリンク処理を行い（Ｓ66）、薬剤情報及び企業特定情報を含む医薬製品企業情報が記述されたｈｔｍｌ形式のウェブページ（図８参照）を消費者のパソコン12に送信する（Ｓ68）。
消費者が図８の画面中の企業名称の文字列をクリックして選択した場合（Ｓ70）には、医薬製品企業の管理するWebサーバ14に対して、上記文字列とリンクされた処方箋医薬製品情報ページの送信要求が出力され、これを受けて（Ｓ72）、医薬製品企業のWebサーバ14から、消費者のパソコン12に対して、図５に示す処方箋医薬製品情報ページが送信される（Ｓ74）。
【００４０】
上記の通り、本システム10は、本システム10の管理者のWebサーバ20から消費者のパソコン12に、処方箋薬の一般名称を含む薬剤情報と、上記一般名称の処方箋薬と対応する処方箋医薬製品を取扱う医薬製品企業の医薬製品企業情報を送信し、また、上記医薬製品企業情報に、本システム10の管理者以外の第三者である医薬製品企業のWebサーバ14に蓄積された、当該医薬製品企業の処方箋医薬製品情報ページをハイパーリンクさせて構成した。
従って、消費者が、医薬製品企業情報をクリックして選択すると、当該医薬製品企業の処方箋医薬製品情報ページに誘導され、消費者に対して、医薬製品企業が取扱っている処方箋医薬製品の情報を提供することができ、この結果、医薬製品企業は自社の処方箋医薬製品の広告を行ったのと実質的に同等の効果を上げることができる。
また、消費者は、処方箋薬に関して、複数の同種の処方箋医薬製品の情報を入手することができる。
【００４１】
さらに、図２のブロック図、図９のフローチャート及び図１１のフローチャートを用いて説明した通り、本システム10は処方箋が必要な「処方箋薬の一般名称」又は「処方箋医薬製品の名称」をキーワードとして処方箋医薬製品の情報提供を行うことができるので、消費者は医師等の処方箋で指示された処方箋医薬製品の一般名称又は製品名称を元に、複数の同種の処方箋医薬製品の情報を入手することができ、利便性が高い。
【００４２】
尚、本システム10のWebサーバ20から消費者のパソコン12に送信するのは、処方箋薬の一般名称を含む薬剤情報及び上記一般名称の処方箋薬と対応する処方箋医薬製品を取扱う医薬製品企業の医薬製品企業情報だけであり、各医薬製品企業の処方箋医薬製品情報ページの送信は行わない。従って、本システム10が消費者に対して行う情報提供は、処方箋医薬製品の広告行為には該当せず、上記「医薬品等適性広告基準」に抵触するものではない。
【００４３】
本システム10において、消費者のパソコン12に薬剤情報及び医薬製品企業情報が記述されたウェブページ（図８参照）を送信する際に、処方箋薬の一般名称と関連付けられた医薬製品企業情報が複数存在する場合には、当該ウェブページに記述する医薬製品企業情報の表示順位及び／又は表示する医薬製品企業情報の数を時間と対応させて変更可能と成しても良い。
【００４４】
この場合、予め、所定時間経過する毎に、所定の基準に基づいて、医薬製品企業情報の表示順位を変更するように定めておく。同様に、予め、基準時点から所定時間経過する毎に、所定の基準に基づいて、表示する医薬製品企業情報の数を変更するように定めておく。そして、「表示順位の変更」と「表示する医薬製品企業情報の数の変更」の何れかを単独で用いたり、或いは併用して用いることにより、ウェブページに記述する医薬製品企業情報の表示順位及び／又は表示する医薬製品企業情報の数を時間と対応させて変更することができる。
【００４５】
例えば、基準時点から５分経過する毎に、第１順位の医薬製品企業情報を最終順位と成すと共に、第２順位以下の医薬製品企業情報を１順位ずつ繰り上げるよう設定することができる。
また、基準時点から１０分経過する毎に、全件表示している医薬製品企業情報の数を最終順位のものから１つずつ減じていき、表示数が１つのみとなったら、１０分経過する毎に１つずつ増やしていくように設定することができる。
これらの変更基準を組み合わせる場合において、両方の基準が適用される時間（例えば基準時点から１０分後、２０分後等）においては、何れか一方の基準を先に適用した後、他方の基準を適用するようにすれば良い。
尚、上記基準はあくまで例示であり、具体的な変更基準や経過時間は本システム10の管理者が任意に設定可能である。
【００４６】
図１３は、医薬製品企業情報の表示順位及び／又は表示する医薬製品企業情報の数を時間と対応させて変更する場合の処理手順を示すフローチャートであり、この処理手順（ＳAとＳB）は、図６のフローチャートのＳ22とＳ24の間、図９のフローチャートのＳ44とＳ46の間、図１１のフローチャートのＳ64とＳ66の間で行われる。
すなわち、薬剤情報及び医薬製品企業情報が記述されたウェブページを生成するための薬剤情報及び医薬製品企業情報を抽出した後、キーワード処理部30は、基準時点からの経過時間を確認（ＳA）した上で、「表示順位の変更基準」及び／又は「表示する医薬製品企業情報の数の変更基準」に従って、医薬製品企業情報の表示順位及び／又は表示数の設定を行うのである（ＳB）。
【００４７】
図１４は、上記で例示した基準に従って、医薬製品企業情報の表示順位及び表示数の変更を行った薬剤情報及び医薬製品企業情報が記述されたウェブページの画面表示例を示すものである。尚、両方の基準が適用される時間においては、「表示順位の変更基準」を先に適用した後、「表示する医薬製品企業情報の数の変更基準」を適用した。
図１４の画面表示例は、基準時点から２０分後の状態を示すものであり、図８の画面表示例と比較して、表示順位及び表示数が大きく変更されている。
【００４８】
このように、消費者のパソコン12に薬剤情報及び医薬製品企業情報が記述されたウェブページを送信する際に、当該ウェブページに記述する医薬製品企業情報の表示順位及び／又は表示する医薬製品企業情報の数を時間と対応させて変更可能と成すことにより、表示順位の上がった医薬製品企業や、表示数が少なくなった状態でウェブページに表示され医薬製品企業にとっての広告効果が向上する。
【図面の簡単な説明】
【００４９】
【図１】本発明に係る医薬製品情報提供システムの全体構成を示すイメージ図である。
【図２】本発明に係る医薬製品情報提供システムの機能構成を示すブロック図である。
【図３】薬剤情報データベース内に登録されたデータ項目例を示す説明図である。
【図４】医薬製品企業情報データベース内に登録されたデータ項目例を示す説明図である。
【図５】医薬製品企業のウェブサイトで公開されている処方箋医薬製品のウェブページを示す説明図である。
【図６】本システムを用いて、消費者が処方箋医薬製品の情報を入手する際の処理手順を示すフローチャートである。
【図７】消費者のパソコンに送信された医療情報が記述されたウェブページの画面表示例を示す説明図である。
【図８】消費者のパソコンに送信された薬剤情報及び医薬製品企業情報が記述されたウェブページの第１の画面表示例を示す説明図である。
【図９】本システムを用いて、消費者がキーワードとして処方箋薬の一般名称を送信して処方箋医薬製品の情報を入手する際の処理手順を示すフローチャートである。
【図１０】消費者のパソコンに送信されたキーワード検索用のウェブページの第１の画面表示例を示す説明図である。
【図１１】本システムを用いて、消費者がキーワードとして処方箋医薬製品の名称を送信して処方箋医薬製品の情報を入手する際の処理手順を示すフローチャートである。
【図１２】消費者のパソコンに送信されたキーワード検索用のウェブページの第２の画面表示例を示す説明図である。
【図１３】医薬製品企業情報の表示順位及び／又は表示する医薬製品企業情報の数を時間と対応させて変更する場合の処理手順を示すフローチャートである。
【図１４】消費者のパソコンに送信された薬剤情報及び医薬製品企業情報が記述されたウェブページの第２の画面表示例を示す説明図である。
【符号の説明】
【００５０】
10  医薬製品情報提供システム
12  消費者の管理するパソコン
14  医薬製品企業の管理するWebサーバ
16  センターサーバ
18  インターネット
20  Webサーバ
22  APサーバ
Ａ  制御装置
Ｂ  記憶装置
24  医療情報処理部
26  薬剤情報処理部
28  医薬製品企業情報処理部
30  キーワード処理部
32  医療情報データベース
34  薬剤情報データベース
36  医薬製品企業情報データベース
38  キーワードデータベース
【図１】
2010073079.tif 000003
【図２】
2010073079.tif 000004
【図３】
2010073079.tif 000005
【図４】
2010073079.tif 000006
【図５】
2010073079.tif 000007
【図６】
2010073079.tif 000008
【図７】
2010073079.tif 000009
【図８】
2010073079.tif 000010
【図９】
2010073079.tif 000011
【図１０】
2010073079.tif 000012
【図１１】
2010073079.tif 000013
【図１２】
2010073079.tif 000014
【図１３】
2010073079.tif 000015
【図１４】
2010073079.tif 000016